(57)【要約】【課題】収納袋を、その素材に関わらず、容易に装着できるとともに、規定数のコインを収納できる状態にすることができるコイン投出装置を提供する。【解決手段】コイン投出装置１の投出部５は、コインＣの投出口３０Ｄを有してコインＣを投出口３０Ｄに導くシュート部３０と、シュート部３０の外側に配置された押さえ部３２と、移動部３３とを含む。押さえ部３２は、投出口３０Ｄから投出されたコインＣを収納するための収納袋Ｂの口部Ｂ１の内側にシュート部３０とともに配置されて、当該収納袋Ｂの内側から当該収納袋Ｂを押さえる。移動部３３は、押さえ部３２をシュート部３０から離れるように移動させる。【選択図】図８
2017162172.tif 000002
【特許請求の範囲】
【請求項１】
コインの投出口を有し、コインを前記投出口へ導くシュート部と、
前記シュート部の外側に配置された押さえ部であって、前記投出口から投出されたコインを収納するための収納袋の口部の内側に前記シュート部とともに配置されて、当該収納袋の内側から当該収納袋を押さえる押さえ部と、
前記押さえ部を前記シュート部から離れるように移動させる移動部と、
を含んだ投出部を備える、コイン投出装置。
【請求項２】
前記押さえ部は、前記シュート部に接近したり前記シュート部から離れたりするように移動可能であり、
前記移動部は、前記押さえ部を、前記シュート部から離れるように付勢している、請求項１に記載のコイン投出装置。
【請求項３】
前記押さえ部と前記移動部とは、一体化されている、請求項１または２に記載のコイン投出装置。
【請求項４】
前記シュート部および前記押さえ部の少なくとも一方の表面には、滑り止め部が設けられている、請求項１〜３のいずれか一項に記載のコイン投出装置。
【請求項５】
コインが投入される投入部と、
前記押さえ部の状態に応じて、前記投出部に対する収納袋の装着状態を検知する検知手段と、
収納袋が前記投出部に装着されていることを前記検知手段が検知していることを条件に、前記投入部に投入されたコインの計数を開始する計数手段と、
前記計数手段によって計数されたコインを、前記投出口から投出するために前記シュート部に搬送する搬送手段と、
を備える、請求項１〜４のいずれか一項に記載のコイン投出装置。
【発明の詳細な説明】
【技術分野】
【０００１】
この発明は、硬貨やメダル等のコインを投出するためのコイン投出装置に関する。
【背景技術】
【０００２】
下記特許文献１の硬貨処理機は、硬貨を放出する円筒状のシュータを有し、シュータの下部外周に形成されたスカート部には、Ｃ形の係止リングが上下動可能に嵌められている。硬貨を収納するための収納袋の開口部をスカート部に嵌めて係止リングを下げると、収納袋の開口部の一部がスカート部と係止リングとの間に挟まれることによってシュータに装着される。
【先行技術文献】
【特許文献】
【０００３】
【特許文献１】実用新案登録第２５１５８１３号公報
【発明の概要】
【発明が解決しようとする課題】
【０００４】
特許文献１の硬貨処理機では、収納袋をシュータの外周に沿わせる際に、収納袋を十分に広げることができず、これにより、装着後の収納袋において例えばシュータの直下に位置する部分がよれたり、収納袋に大きな皺が発生したりすることがある。特に、コシの弱い、つまり剛性の低い素材で構成された収納袋では、よれや皺が発生しやすい。よれや皺が収納袋に発生した状態でシュータから硬貨が放出されると、硬貨が収納袋の底まで流れずに途中の皺等に滞留することによって、規定数の硬貨を収納袋に収納できない虞がある。そこで、使用者は、収納袋を、よれや皺が発生しないように慎重にシュータにセットする必要がある。さらに、使用者は、セットされた収納袋を固定するために係止リングを動かす必要がある。これでは、収納袋の装着に関する操作が煩雑になる。また、特許文献１の硬貨処理機のように収納袋をスカート部と係止リングとの間に挟んで固定する構成では、薄手の素材で構成された収納袋を、装着後に外れないようにしっかり挟むことが困難である。
【０００５】
この発明は、かかる背景のもとでなされたもので、収納袋を、その素材に関わらず、容易に装着できるとともに、規定数のコインを収納できる状態にすることができるコイン投出装置を提供することを目的とする。
【課題を解決するための手段】
【０００６】
本発明は、コインの投出口を有し、コインを前記投出口へ導くシュート部と、前記シュート部の外側に配置された押さえ部であって、前記投出口から投出されたコインを収納するための収納袋の口部の内側に前記シュート部とともに配置されて、当該収納袋の内側から当該収納袋を押さえる押さえ部と、前記押さえ部を前記シュート部から離れるように移動させる移動部と、を含んだ投出部を備える、コイン投出装置である。
【０００７】
また、本発明は、前記押さえ部は、前記シュート部に接近したり前記シュート部から離れたりするように移動可能であり、前記移動部は、前記押さえ部を、前記シュート部から離れるように付勢していることを特徴とする。
【０００８】
また、本発明は、前記押さえ部と前記移動部とは、一体化されていることを特徴とする。
【０００９】
また、本発明は、前記シュート部および前記押さえ部の少なくとも一方の表面には、滑り止め部が設けられていることを特徴とする。
【００１０】
また、本発明は、コインが投入される投入部と、前記押さえ部の状態に応じて、前記投出部に対する収納袋の装着状態を検知する検知手段と、収納袋が前記投出部に装着されていることを前記検知手段が検知していることを条件に、前記投入部に投入されたコインの計数を開始する計数手段と、前記計数手段によって計数されたコインを、前記投出口から投出するために前記シュート部に搬送する搬送手段と、を備えることを特徴とする。
【発明の効果】
【００１１】
本発明によれば、コイン投出装置の投出部では、投出口を有するシュート部と、シュート部の外側に配置された押さえ部とが収納袋の口部の内側に配置された状態において、押さえ部が当該収納袋を内側から押さえる。さらに、移動部が、押さえ部をシュート部から離れるように移動させるので、当該収納袋は、押さえ部によって内側からテンションがかけられた状態になって、投出部に対して外れにくく装着される。この場合、どのような素材の収納袋であっても、収納袋の口部の内側にシュート部および押さえ部を入り込ませれば、収納袋を投出部に容易に装着することができる。また、装着状態において押さえ部によって内側からテンションがかけられた収納袋は、その素材に関わらず、必ず広がった状態にあることから、よれや皺が少ないので、規定数のコインを確実に収納できる。
【図面の簡単な説明】
【００１２】
【図１】図１は、本発明の一実施形態に係るコイン投出装置を正面側から見た斜視図である。
【図２】図２は、コイン投出装置の内部構造の平面図である。
【図３】図３は、コイン投出装置の電気的構成を示したブロック図である。
【図４】図４は、コイン投出装置における投出部の斜視図である。
【図５】図５は、投出部を斜め下側から見た斜視図である。
【図６】図６は、押さえ部が開位置にある状態における投出部の側面図である。
【図７】図７は、押さえ部が閉位置にある状態における投出部の側面図である。
【図８】図８は、収納袋が装着された状態における投出部の斜視図である。
【図９】図９は、コイン投出装置において実施される処理の手順を示すフローチャートである。
【図１０】図１０は、第１変形例に係る投出部の模式的な斜視図である。
【図１１】図１１は、第１変形例に係る投出部の模式的な斜視図である。
【図１２】図１２は、第２変形例に係る投出部の模式的な斜視図である。
【図１３】図１３は、第２変形例に係る投出部の模式的な斜視図である。
【図１４】図１４は、第３変形例に係る投出部の模式的な斜視図である。
【図１５】図１５は、第３変形例に係る投出部の模式的な斜視図である。
【発明を実施するための形態】
【００１３】
以下には、図面を参照して、この発明の実施形態について具体的に説明する。図１は、本発明の一実施形態に係るコイン投出装置１を正面側から見た斜視図である。図１の紙面の左右方向は、コイン投出装置１の左右方向Ｘと一致し、図１の紙面に略直交する方向は、コイン投出装置１の前後方向Ｙと一致し、図１の紙面の上下方向は、コイン投出装置１の上下方向Ｚと一致している。左右方向Ｘは、左側Ｘ１と右側Ｘ２とを含み、前後方向Ｙは、前側Ｙ１と後側Ｙ２とを含み、上下方向Ｚは、上側Ｚ１と下側Ｚ２とを含む。
【００１４】
コイン投出装置１は、投入されたコインＣを選別および計数してから機外に投出する処理装置である。コインＣには、一般的な円形状の硬貨や、遊技施設で用いられる円形状のメダルや、ＩＣコインといった有価の小片が含まれる。もちろん、コインは金属製に限らず、例えば樹脂製であっても構わない。以下の説明では、便宜上、コインＣが硬貨であることを前提とする。コイン投出装置１は、例えば左右方向Ｘに長手のボックス状に形成されている。図１では、コイン投出装置１の外殻を構成する装置本体２と、装置本体２から外部に露出された投入部３、表示操作部４および投出部５とが図示されている。
【００１５】
投入部３は、例えば装置本体２の上部における左側Ｘ１の領域に設けられている。投入部３は、上側Ｚ１を臨む投入口６を有するホッパー状に形成されている。投入部３には、白抜きの矢印で示すように、投入口６からコインＣが投入される。表示操作部４は、例えば、各種の操作ボタン７と、コインＣの金種を選択するためのダイヤル８と、液晶等で構成された表示画面９とを含み、装置本体２における前側Ｙ１の見やすい位置に配置されている。なお、表示操作部４の全体を液晶のタッチパネルで構成してもよい。使用者は、操作ボタン７を操作することによって、コイン投出装置１の運転を開始させたり、その運転を停止させたりすることができる。投入部３に投入されたコインＣの計数結果やエラーコード等の状態情報等が表示画面９に表示される。投出部５は、例えば装置本体２の右側Ｘ２の領域において前側Ｙ１へ露出されている。投入部３に投入されてから選別および計数の処理を受けたコインＣは、黒抜き矢印で示すように、投出部５から下側Ｚ２へ投出される。投出部５については、以降で詳説する。
【００１６】
図２は、コイン投出装置１の内部構造の平面図である。装置本体２内には、左側Ｘ１に配置された供給部１０と、供給部１０に右側Ｘ２から隣接した繰出部１１と、繰出部１１から前側Ｙ１へ延びて投出部５につながった通路１２と、通路幅切替部１３と、搬送手段の一例としての搬送部１４と、選別部１５と、計数手段の一例としての計数部１６とが設けられている。
【００１７】
供給部１０は、投入部３の底部を構成している。投入部３に投入されたコインＣは、供給部１０上に載る。供給部１０の上面１０Ａは、繰出部１１へ向かうのにつれて下降した傾斜面であってもよく、この場合に供給部１０上に載ったコインは、供給部１０の上面１０Ａに沿って右側Ｘ２へ滑り落ちることによって繰出部１１に供給される。または、供給部１０は、駆動回転される円盤であってもよく、この場合に供給部１０上に載ったコインＣは、供給部１０の駆動回転が生じさせた遠心力によって右側Ｘ２へ移動して繰出部１１に供給される。
【００１８】
繰出部１１は、略水平に沿った上面１１Ａを有する円盤状に形成され、その中心軸まわりに自転するように駆動回転される。供給部１０によって繰出部１１に供給されたコインＣは、上面１１Ａに配置される。上面１１ＡにあるコインＣは、繰出部１１の駆動回転が生じさせた遠心力によって右側Ｘ２へ移動する。
【００１９】
通路１２は、繰出部１１の右端部から略水平に沿って前側Ｙ１へ帯状に延びた搬送面１７と、搬送面１７を左右方向Ｘの両側から挟んだ状態で前側Ｙ１へ延びた一対の側壁１８とによって区画されている。繰出部１１の上面１１ＡにあるコインＣは、繰出部１１の駆動回転に応じて繰出部１１の右端部に到達すると、１枚ずつ搬送面１７の後端部へ繰り出されることによって、略水平になった姿勢で通路１２に進入する。
【００２０】
通路幅切替部１３は、一対の側壁１８における左側Ｘ１の側壁１８Ａと、ダイヤル８（図１参照）とを機械的に連結するための構成であり、通路幅切替部１３として公知のものを用いてもよい。使用者は、ダイヤル８を手動で操作してコインＣの金種を選択することによって、左右方向Ｘにおける側壁１８Ａの位置を変化させて通路１２の左右方向Ｘの幅Ｗを、選択した金種のコインＣの直径に応じた大きさへと任意に切り替えることができる。これにより、切替後の幅Ｗ以下の直径を有する金種のコインＣだけが、通路１２へ進入できる。
【００２１】
搬送部１４は、通路１２に沿って前後方向Ｙに並んで配置された複数のプーリー１９と、これらのプーリー１９に対して掛け回された無端状の搬送ベルト２０と、搬送ベルト２０を周回移動させるモータ（図示せず）とを含む。繰出部１１から通路１２に進入したコインＣは、搬送ベルト２０と搬送面１７とによって上下方向Ｚから挟まれ、周回移動する搬送ベルト２０に引っ張られることによって、通路１２内で前側Ｙ１へ搬送される。
【００２２】
選別部１５は、通路１２内で搬送されるコインＣの直径を選別するための構成であり、例えば搬送面１７の途中に形成された穴である。対象外の小径のコインＣだけが、通路１２内で搬送される途中に選別部１５から落下し、例えば装置本体２の右側面に設けられたボックス状のリジェクト部２１（図１参照）にリジェクトされる。対象のコインＣは、選別部１５から落下することなく、選別部１５を前側Ｙ１へ通過する。
【００２３】
計数部１６は、通路１２内で選別部１５を前側Ｙ１へ通過したコインＣを１枚ずつ計数するための構成であり、計数部１６として、例えば、遮光センサ等の公知の計数センサを用いることができる。なお、計数部１６は、コインＣを計数する機能だけでなく、コインＣの表面の模様や材質等からコインＣの真偽を識別する機能を有してもよい。また、供給部１０から搬送部１４にわたる経路の各所には、コインＣの有無を検知するコイン検知センサ５０が配置される。
【００２４】
図３は、コイン投出装置１の電気的構成を示したブロック図である。コイン投出装置１は、搬送手段および計数手段の一例としての制御部２２を備えている。制御部２２は、ＣＰＵやＲＯＭやＲＡＭ等で構成されている。制御部２２には、前述した表示操作部４、繰出部１１、搬送部１４、計数部１６およびコイン検知センサ５０のそれぞれと、通信部２３とが電気的に接続されている。詳しくは、繰出部１１では、繰出部１１を駆動回転させるモータ（図示せず）が制御部２２に接続され、搬送部１４では、搬送ベルト２０を周回移動させるモータ（図示せず）が制御部２２に接続されている。制御部２２は、使用者による表示操作部４の操作を受け付けたり、表示操作部４での表示ならびに繰出部１１および搬送部１４の動作を制御したり、計数部１６による計数結果等を受け取ったりすることができる。通信部２３は、コイン投出装置１に対する上位装置（例えば管理装置等の外部機器２４）と、制御部２２とが通信するためのインターフェース部である。
【００２５】
次に、投出部５について詳説する。図４は、投出部５を左前側から見た斜視図である。図５は、投出部５を斜め下側から見た斜視図である。投出部５は、シュート部３０と、支持部３１と、押さえ部３２と、移動部３３とを含む。
【００２６】
シュート部３０は、上下方向Ｚに延びる中心軸線Ｊを有する管状、例えば円管状に形成されている。なお、シュート部３０の表面である外周面３０Ａの少なくとも下部３０Ｂには、蛇腹状の凹凸によって構成された滑り止め部３５が形成されている。シュート部３０の内部空間３０Ｃは、通路１２の前端部に対して下側Ｚ２から連通している（図２も参照）。つまり、シュート部３０は、通路１２の前端部から下側Ｚ２に延びている。シュート部３０の下端には、例えば円形状の投出口３０Ｄが形成されている。投出口３０Ｄは、下側Ｚ２を臨み、内部空間３０Ｃを下側Ｚ２に露出させている。以下では、中心軸線Ｊを中心とする径方向を径方向Ｒといい、径方向Ｒのうち、中心軸線Ｊに接近する方向を径方向内側Ｒ１といい、中心軸線Ｊから離れる方向を径方向外側Ｒ２という。
【００２７】
支持部３１は、例えば金属板を折り曲げることによって形成される。支持部３１は、前後方向Ｙに略一致した板厚方向を有する基部３１Ａと、基部３１Ａから前側Ｙ１へ張り出して上側Ｚ１へ平行に延びた左右一対の延設部３１Ｂと、左右方向Ｘに延びて一対の延設部３１Ｂの上端部間に架設された支持軸３１Ｃとを有する（図５参照）。各延設部３１Ｂの板厚方向は、左右方向Ｘと一致している。一対の延設部３１Ｂにおける右側Ｘ２の延設部３１Ｂの上端部の一部は、左側Ｘ１に折り曲げられて略水平に延びた折曲部３１Ｄである（図４参照）。折曲部３１Ｄには、折曲部３１Ｄを上下方向Ｚに貫通した係止穴３１Ｅが形成されている。ボルト３４により基部３１Ａがシュート部３０の外周面３０Ａの前側領域に組み付けられることによって、支持部３１は、シュート部３０の外周面３０Ａに対して前側Ｙ１から固定されている（図５参照）。支持軸３１Ｃの両端部は、一対の延設部３１Ｂから左右方向Ｘの外側へはみ出ている。
【００２８】
押さえ部３２は、例えば金属板を折り曲げることによって形成される。押さえ部３２は、図４および図５では上下方向Ｚに沿って延びるアーム状の全体形状を有する。押さえ部３２は、左右方向Ｘに一致した板厚方向を有して前後方向Ｙに沿って平行に延びた左右一対の根元部３２Ａと、一対の根元部３２Ａの前端部間に架設されて下側Ｚ２へ延びた延設部３２Ｂと、延設部３２Ｂの下端部に連結された先端部３２Ｃとを一体的に有する。
【００２９】
延設部３２Ｂの板厚方向は、図４および図５では前後方向Ｙとほぼ一致しており、延設部３２Ｂの上端部が一対の根元部３２Ａの前端部間に架設されている。先端部３２Ｃは、延設部３２Ｂと同じ板厚方向を有する中央部３２Ｄと、左右方向Ｘにおける中央部３２Ｄの両側に１つずつ設けられて中央部３２Ｄに対して傾斜するように後側Ｙ２へ折り曲げられた左右一対の側部３２Ｅとを一体的に有する。各側部３２Ｅにおいて左右方向Ｘにおける外側の端部は、後側Ｙ２へさらに折り曲げられている。延設部３２Ｂおよび各側部３２Ｅには、肉抜きの役割を少なくとも有する貫通穴３２Ｆが形成されている。延設部３２Ｂの上端部において最も上側Ｚ１の貫通穴３２Ｆよりも上側Ｚ１の位置には、延設部３２Ｂを、その板厚方向に貫通した係止穴３２Ｇが形成されている。なお、延設部３２Ｂの上端部において係止穴３２Ｇが形成された部分は、後側Ｙ２に折り曲げられた折曲部３２Ｈであってもよい（後述する図６および図７参照）。
【００３０】
一対の根元部３２Ａは、支持部３１の一対の延設部３１Ｂの上端部に対して左右方向Ｘにおける外側から重なるように配置され、左右方向Ｘにおける支持軸３１Ｃの両端部に連結されている。これにより、押さえ部３２は、シュート部３０の外側（詳しくは、シュート部３０および支持部３１よりも径方向外側Ｒ２かつ前側Ｙ１）に配置された状態で、支持軸３１Ｃを介して支持部３１に支持されている。この状態の押さえ部３２は、先端部３２Ｃが径方向内側Ｒ１および径方向外側Ｒ２に移動するように、支持軸３１Ｃまわりに前後方向Ｙへ揺動可能である。
【００３１】
移動部３３の一例は、弾性体であり、詳しくは引っ張りバネである。移動部３３は、前後方向Ｙに長手となった状態で、支持部３１の折曲部３１Ｄと、押さえ部３２の延設部３２Ｂの上端部との間に配置されている。移動部３３の長手方向の一端部、つまり後端部は、折曲部３１Ｄの係止穴３１Ｅに係止され、移動部３３の長手方向の他端部、つまり前端部は、延設部３２Ｂの上端部の係止穴３２Ｇに係止されている（図４参照）。この状態において、移動部３３は、延設部３２Ｂの上端部を後側Ｙ２へ引っ張っているので、押さえ部３２は、先端部３２Ｃが径方向外側Ｒ２かつ前側Ｙ１へシュート部３０から離れるように常に付勢されている。
【００３２】
移動部３３によって付勢された状態の押さえ部３２は、図６に示す開位置と、図７に示す閉位置との間で揺動可能である。開位置にある押さえ部３２では、延設部３２Ｂがシュート部３０の中心軸線Ｊと略平行であり、先端部３２Ｃがシュート部３０から前側Ｙ１へ目一杯離れている。閉位置にある押さえ部３２では、延設部３２Ｂが下側Ｚ２へ向かうにつれて中心軸Ｊ側つまり後側Ｙ２へ徐々にずれるように中心軸線Ｊに対して傾斜していて、先端部３２Ｃがシュート部３０に前側Ｙ１から目一杯接近している。つまり、押さえ部３２は、シュート部３０に接近したりシュート部３０から離れたりするように移動可能である。押さえ部３２は、開位置に位置するように、つまりシュート部３０から前側Ｙ１へ離れるように移動部３３によって付勢されている。
【００３３】
図８を参照して、コイン投出装置１による計数処理を開始するのに先立って、使用者は、選別および計数の処理の後に投出部５の投出口３０Ｄから下側Ｚ２へ投出されるコインＣを収納するための収納袋Ｂを準備する。収納袋Ｂは、口部Ｂ１を有する一般的な袋であり、その素材として、麻や綿やナイロン等が挙げられる。使用者は、収納袋Ｂを、口部Ｂ１が底部Ｂ２よりも上側Ｚ１に位置するように保持し、口部Ｂ１を、シュート部３０に対して投出口３０Ｄ側つまり下側Ｚ２から外嵌する。その際、使用者は、口部Ｂ１の内側にシュート部３０と支持部３１と押さえ部３２とが入り込むように、押さえ部３２を手で押して閉位置側（後側Ｙ２）へずらしておく。
【００３４】
図８に示すように口部Ｂ１の内側にシュート部３０と支持部３１と押さえ部３２とが入り込むと、使用者は、押さえ部３２から手を離して押さえ部３２を解放する。すると、押さえ部３２は、移動部３３の付勢力によって、シュート部３０から前側Ｙ１へ離れた開位置へ向けて移動させられる。これにより、口部Ｂ１の内側にあるシュート部３０と押さえ部３２の先端部３２Ｃとの前後方向Ｙの間隔が広がろうとすることによって、口部Ｂ１が前後方向Ｙに広げられる。この状態（図８の状態）における押さえ部３２は、開位置に到達していない押さえ位置にあり、シュート部３０とともに収納袋Ｂの口部Ｂ１の内側に配置されている。押さえ位置は、閉位置と開位置との間であって、開位置側に偏った位置である。
【００３５】
収納袋Ｂの口部Ｂ１における後側Ｙ２の部分は、シュート部３０の外周面３０Ａに後側Ｙ２から引っ掛かった状態にある。この状態において、押さえ位置にある押さえ部３２の先端部３２Ｃが、収納袋Ｂの内側から当該収納袋Ｂの口部Ｂ１を前側Ｙ１へ押さえているので、当該収納袋Ｂが口部Ｂ１において投出部５に固定されている。この状態の収納袋Ｂは、広げられた口部Ｂ１において投出部５に装着され、口部Ｂ１から底部Ｂ２へ向けて垂れ下がった状態にある。このように、投出部５では、シュート部３０と押さえ部３２と移動部３３との協働によって、投出部５に収納袋Ｂを装着するための取付機構が構成されている。また、シュート部３０の外周面３０Ａに設けられた滑り止め部３５が収納袋Ｂの口部Ｂ１に密着しているので、投出部５に装着された状態における口部Ｂ１の位置が一層安定している。
【００３６】
以上のように収納袋Ｂの口部Ｂ１が投出部５に固定された状態でコイン投出装置１の計数処理が開始されると、前述したように、コインＣが、繰出部１１によって１枚ずつ繰り出されて通路１２内で前側Ｙ１へ搬送され、選別および計数の処理を受ける。選別および計数の処理を受けたコインＣ（計数対象の正常なコインＣ）は、搬送部１４によって通路１２の前端部まで搬送されてからシュート部３０の内部空間３０Ｃに落下し、シュート部３０によって投出口３０Ｄへ導かれた後に、投出口３０Ｄから下側Ｚ２へ投出される。投出口３０Ｄから投出されたコインＣは、収納袋Ｂ内において底部Ｂ２から順に溜まっていく。なお、収納袋Ｂ内に溜まったコインＣの重みでコイン投出装置１が転倒しないように、収納袋Ｂの底部Ｂ２は、床や台の上に載置されることが好ましい。
【００３７】
以上のように、コイン投出装置１の投出部５では、投出口３０Ｄを有するシュート部３０と、シュート部３０の外側に配置された押さえ部３２とが収納袋Ｂの口部Ｂ１の内側に配置された状態において、押さえ部３２が当該収納袋Ｂを内側から押さえる。さらに、移動部３３が、押さえ部３２をシュート部３０から離れるように移動させるので、収納袋Ｂは、押さえ部３２によって押し広げられて内側からテンションがかけられた状態になって、投出部５に対して外れにくく装着されている。この場合、どのような素材の収納袋Ｂであっても、収納袋Ｂの口部Ｂ１の内側にシュート部３０および押さえ部３２を入り込ませれば、収納袋Ｂを投出部５に容易かつ確実に装着することができる。また、装着状態において押さえ部３２によって内側からテンションがかけられた収納袋Ｂは、その素材に関わらず、必ず広がった状態にあり、このように広がった状態にある収納袋Ｂでは、よれや皺が少ないので、投出口３０Ｄからの規定数のコインＣを確実かつスムーズに収納できる。
【００３８】
また、移動部３３が、押さえ部３２をシュート部３０から離れるように付勢している。この場合、使用者が収納袋Ｂの装着のために慎重にならなくても、収納袋Ｂの口部Ｂ１の内側にシュート部３０および押さえ部３２を入り込ませてシュート部３０および押さえ部３２から手を離すだけのラフな操作によって、移動部３３が、押さえ部３２を、シュート部３０から離れるように勝手に移動させる。これにより、収納袋Ｂは、確実に、押さえ部３２によって内側からテンションがかけられた状態になる。そのため、収納袋Ｂを投出部５に一層容易に装着することができる。一方、規定数のコインＣが収納袋Ｂに収納された後は、使用者が手で押さえ部３２を閉位置側へ移動させれば、前述したテンションが弱まって収納袋Ｂの口部Ｂ１が投出部５から解放されるので、容易に収納袋Ｂを取り外すことができる。
【００３９】
押さえ部３２の先端部３２Ｃにおける一対の側部３２Ｅは、互いに接近するように閉じたり、互いに離れるように開いたりできるように構成され、押さえ部３２の揺動に応じて一対の側部３２Ｅが開閉してもよい。具体的に、使用者によって押さえ部３２が閉位置側へ押されているときに一対の側部３２Ｅが閉脚するように閉じてしていれば、これらの側部３２Ｅが邪魔にならないので、収納袋Ｂの口部Ｂ１を投出部５に容易に装着できる。一方、収納袋Ｂの装着後に、使用者が押さえ部３２を開位置側へ移動させたときに一対の側部３２Ｅを開脚するように開けば、収納袋Ｂを前後方向Ｙだけでなく左右方向Ｘにも広がった状態で維持できる。なお、公知の連動機構（図示せず）によって押さえ部３２の揺動と一対の側部３２Ｅの開閉とを連動させてもよい。または、例えばバネ等の付勢部材（図示せず）によって一対の側部３２Ｅを常に開くように付勢しておいて、使用者が、手で押さえ部３２を閉位置側へ押すときに、一対の側部３２Ｅを閉じるように一緒に押さえてもよい。
【００４０】
コイン投出装置１では、押さえ部３２の位置に応じて計数処理の開始のタイミングが調整されてもよい。具体的には、図９を参照して、制御部２２が、使用者による表示操作部４の操作によって計数処理開始の指示を受け付けると（ステップＳ１）、収納袋Ｂがシュート部３０に装着されているか否かが、押さえ部３２の位置に基づいて検知される（ステップＳ２）。ステップＳ２での処理に関連して、コイン投出装置１は、制御部２２に電気的に接続された検知手段の一例としての袋検知センサ４０を備えている（図３参照）。袋検知センサ４０は、押さえ部３２の位置、つまり押さえ部３２の状態に応じて、投出部５に対する収納袋Ｂの装着状態を検知する。袋検知センサ４０として、例えば、押さえ部３２に形成された遮光板の動きを検知するフォトインタラプタを含む構成を採用すればよい。
【００４１】
なお、袋検知センサ４０は、押さえ部３２の位置でなく、押さえ部３２が受けている外力の大きさに応じて、投出部５に対する収納袋Ｂの装着状態を検知してもよい。この場合、当該外力が所定以上の大きさであれば、袋検知センサ４０は、押さえ部３２が押さえ位置にあって収納袋Ｂにテンションを掛けていること、つまり、投出部５に装着された収納袋Ｂからの反力が当該外力となって押さえ部３２に作用していることを検知する。一方、当該外力が所定未満の大きさであれば、袋検知センサ４０は、押さえ部３２が押さえ位置以外の位置にあって、収納袋Ｂが投出部５に装着されていないことを検知する。
【００４２】
押さえ部３２が押さえ位置にあること、つまり収納袋Ｂが投出部５に装着されていることを袋検知センサ４０が検知していることを条件に（ステップＳ２でＹＥＳ）、制御部２２は、計数処理を開始（実行）する（ステップＳ３）。これにより、制御部２２は、繰出部１１、搬送部１４および計数部１６を作動させることによって、投入部３に投入されたコインＣの計数を開始する。
【００４３】
一方、押さえ部３２が押さえ位置にないこと、つまり収納袋Ｂが投出部５に装着されていないことを袋検知センサ４０が検知した場合には（ステップＳ２でＮＯ）、制御部２２は、表示操作部４の表示画面９にメッセージを表示したり、ブザー（図示せず）を鳴らしたりすることによって、使用者に向けて（収納袋Ｂが装着されていない旨の）警告を報知する（ステップＳ４）。警告の報知を受けた使用者が、収納袋Ｂを投出部５に装着し、表示操作部４の操作によって運転開始を再び指示した場合には（ステップＳ１）、制御部２２は、収納袋Ｂが投出部５に装着されれば（ステップＳ２でＹＥＳ）、運転を開始する（ステップＳ３）。一方、引き続き収納袋Ｂがシュート部３０に装着されていなければ（ステップＳ２でＮＯ）、制御部２２は、再び警告を報知する（ステップＳ４）。なお、制御部２２は、ステップＳ４で警告を報知した後、ステップＳ１での使用者による運転開始の指示がなくても、収納袋Ｂがシュート部３０に装着されたことに応じて（ステップＳ２でＹＥＳ）、自動で計数処理（ステップＳ３）を開始してもよい。
【００４４】
このように、コイン投出装置１では、収納袋Ｂが投出部５に装着されていることが検知された場合に、投入部３に投入されたコインＣの計数が開始される。計数後のコインＣは、制御部２２により制御された搬送部１４によってシュート部３０に搬送されて、投出口３０Ｄから投出されて当該収納袋Ｂに収納される。これにより、収納袋Ｂが投出部５に装着されていない状態でコインＣの計数および搬送が不用意に実施されて、コインＣが投出口３０Ｄから機外に散らばる不具合を防止できる。
【００４５】
投出部５の構成は、任意に変更できる。例えば、図１０に示された第１変形例の投出部５では、複数（ここでは一対）の押さえ部３２が、シュート部３０の外周面３０Ａにおいて、外周面３０Ａの周方向に並んで配置されている。押さえ部３２は、前述した支持部３１を介してシュート部３０に連結されてもよいし、根元部３２Ａにおいてシュート部３０に直接連結されてもよい。各押さえ部３２は、開位置と閉位置との間で揺動可能である。また、図１０では図示されていないが、弾性体で構成された移動部３３が、各押さえ部３２を開位置へ向けて常に付勢している。
【００４６】
第１変形例では、これらの押さえ部３２が、それぞれの待機状態においてロック機構（図示せず）によって閉位置でロックされている。使用者が、シュート部３０に収納袋Ｂを装着した後に、押さえ部３２に触れる等の所定の操作をすると、ロック部材によるロックが解除され、各押さえ部３２は、それぞれの開位置側へ向けて揺動する。押さえ部３２が一対存在する場合には、これらの押さえ部３２は、図１１に示すように、開脚するように押さえ位置まで揺動し、先端部３２Ｃにおいて収納袋Ｂの口部Ｂ１を押し広げて保持する。
【００４７】
なお、前述したロック機構は、押さえ部３２を、開位置、閉位置および押さえ位置のそれぞれでロックしてもよい。ロック機構は、例えばラッチ機構によって実現される。押さえ部３２を閉位置にロックしておけば収納袋Ｂの装着が容易になり、その後に押さえ部３２のロックを解除して押さえ位置まで移動させれば、収納袋Ｂを外れないように投出部５に装着できる。
【００４８】
図１２に示された第２変形例の投出部５では、支持部３１および押さえ部３２が、ゴム等の弾性体で一体形成されている。支持部３１は、シュート部３０の下部３０Ｂに対して外嵌された円環状に形成され、押さえ部３２は、支持部３１から径方向外側Ｒ２へ延び出たアーム状に形成されている。支持部３１をシュート部３０の一部とみなしてもよい。図１２において略直線状になった押さえ部３２は、開位置にある。押さえ部３２は、単数でも複数でもよい。支持部３１および押さえ部３２の全体の最大寸法Ｍは、収納袋Ｂの口部Ｂ１の最大寸法よりも大きくなるように設定されている。
【００４９】
第２変形例では、押さえ部３２は、自身および支持部３１の弾性によって、開位置へ向けて常に付勢されている。つまり、支持部３１および押さえ部３２が、前述した移動部３３と一体化されている。この場合、部品点数の低減を図れ、コイン投出装置１の投出部５をシンプルに構成することができる。使用者が、開位置の押さえ部３２をシュート部３０側（閉位置側）へ撓むように変形させ、その状態で、シュート部３０および押さえ部３２を収納袋Ｂの口部Ｂ１の内側に入り込ませた後に、押さえ部３２から手を離すと、押さえ部３２は、開位置側へ戻ろうとし、図１３に示す押さえ位置において、押さえ部３２の先端部３２Ｃが収納袋Ｂの口部Ｂ１を押し広げて保持する。
【００５０】
図１４に示された第３変形例の投出部５では、複数（ここでは一対）の押さえ部３２が、ピアノ線等の弾性を有する線材で構成されていて、シュート部３０の外周面３０Ａにおいて、外周面３０Ａの周方向に並んで配置されている。押さえ部３２は、前述した支持部３１を介してシュート部３０に連結されてもよいし、根元部３２Ａにおいてシュート部３０に直接連結されてもよい。図１４における各押さえ部３２は、開位置にある。各押さえ部３２は、その延設部３２Ｂの弾性によって、開位置へ向けて常に付勢されている。つまり、延設部３２Ｂが、前述した移動部３３を兼ねている。図１４における各押さえ部３２は、開位置にある。
【００５１】
第３変形例では、使用者が、開位置の押さえ部３２をシュート部３０側（閉位置側）へ撓むように変形させ、その状態で、収納袋Ｂをシュート部３０に装着した後に、押さえ部３２から手を離すと、押さえ部３２は、径方向外側Ｒ２の開位置へ戻ろうとし、図１５に示す押さえ位置において、各押さえ部３２の先端部３２Ｃが収納袋Ｂの口部Ｂ１を押し広げて保持する。先端部３２Ｃは、収納袋Ｂとの間での滑り止めおよび収納袋Ｂの損傷防止のために、ゴム等の柔軟性のある素材で構成されていることが好ましい。
【００５２】
この発明は、以上の実施形態の内容に限定されるものではなく、請求項に記載の範囲内において種々の変更が可能である。
【００５３】
例えば、前述した滑り止め部３５（図４参照）は、シュート部３０の外周面３０Ａでなく、押さえ部３２の表面において収納袋Ｂに接触する部分に設けられてもよいし、シュート部３０および押さえ部３２の両方の表面に設けられてもよい。滑り止め部３５により、収納袋Ｂが投出部５に装着された状態を確実に維持することができる。また、滑り止め部３５には、前述した蛇腹状の凹凸に限らず、いわゆるギザギザや、ゴム部材（つまり、高い摩擦力を発生させる部材）を用いてもよい。
【００５４】
収納袋Ｂの口部Ｂ１の大きさに応じて、押さえ部３２の開位置が調整可能であってもよい。これにより、収納袋Ｂの装着のために使用者が押さえ部３２を手で開位置から閉位置へ動かす際における押さえ部３２の移動距離（つまり、押さえ部３２の開度）が最適化される。そのため、例えば口部Ｂ１が小さい収納袋Ｂの場合には、当該移動距離が小さく設定されるので、使用者が開位置の押さえ部３２を閉位置側へ動かす量を少なく抑えて、操作性の向上を図れる。
【００５５】
移動部３３を、以上のような弾性体で構成する代わりに、モータで構成してもよい。この場合、モータの出力軸が押さえ部３２に連結されていて、押さえ部３２は、制御部２２に制御されたモータに駆動されることによって、開位置と閉位置との間で移動する。
【００５６】
また、コイン投出装置１は、コインＣを投出する機能を少なくとも有していればよく、この機能を有しているのであれば、前述したようにコインＣを計数したり選別したりする様々な機能をさらに有する処理装置であってもよい。
【符号の説明】
【００５７】
１      コイン投出装置
３      投入部
５      投出部
１４    搬送部
１６    計数部
２２    制御部
３０    シュート部
３０Ａ  外周面
３０Ｄ  投出口
３２    押さえ部
３３    移動部
３５    滑り止め部
４０    袋検知センサ
Ｂ      収納袋
Ｂ１    口部
Ｃ      コイン
【図１】
2017162172.tif 000003
【図２】
2017162172.tif 000004
【図３】
2017162172.tif 000005
【図４】
2017162172.tif 000006
【図５】
2017162172.tif 000007
【図６】
2017162172.tif 000008
【図７】
2017162172.tif 000009
【図８】
2017162172.tif 000010
【図９】
2017162172.tif 000011
【図１０】
2017162172.tif 000012
【図１１】
2017162172.tif 000013
【図１２】
2017162172.tif 000014
【図１３】
2017162172.tif 000015
【図１４】
2017162172.tif 000016
【図１５】
2017162172.tif 000017